(57)【要約】【課題】撮像装置を備えた携帯端末において、操作釦類を増やすことなく機能の増加を図れ、それによって小型で、安価に携帯端末を提供できるようにすること。【解決手段】被写体像を電気信号に変換する撮像素子と、該撮像素子へ被写体像を結像させる撮影光学系内の変倍光学系を、撮影光学系の光軸を軸とした回動操作部材による回動操作によって光軸方向に移動させて撮影倍率を変更するズーム機構と、前記回動操作部材の回動位置を検知する検知手段とを備え、前記撮像装置は、撮像時における前記検知手段からの位置情報を、前記変倍光学系の倍率検出制御、または電子的なズームの倍率制御のための信号とし、さらに撮像装置の起動、携帯端末における他の機能の制御のための信号として使えるようにしたことを特徴とする。【選択図】      図４
2005107291.tif 000002
【特許請求の範囲】
【請求項１】
被写体像を電気信号に変換する撮像素子と、該撮像素子へ被写体像を結像させる撮影光学系と、該撮影光学系の光軸を軸とした回動操作部材とからなる撮像装置を有し、前記回動操作部材は装置筐体から一部が露出していることを特徴とする携帯端末。
【請求項２】
被写体像を電気信号に変換する撮像素子と、該撮像素子へ被写体像を結像させる撮影光学系と、該撮影光学系の光軸を軸とした回動操作部材と、該回動操作部材の回動を検知する回動検知手段と、該回動検知手段が検出した回動情報により、前記撮像素子を駆動する駆動手段を起動する起動手段とを有することを特徴とする携帯端末。
【請求項３】
被写体像を電気信号に変換する撮像素子と、該撮像素子へ被写体像を結像させる撮影光学系と、該撮影光学系の光軸を軸とした回動操作部材と、該回動操作部材の回動を検知する回動検知手段と、該回動検知手段が検出した回動情報により、携帯端末の表示装置に表示して選択されたアプリケーションの起動、またはネットワーク接続手段の起動を行うアプリケーション起動手段とを有することを特徴とする携帯端末。
【請求項４】
前記撮影光学系は、光学ズーム機構を有すると共に撮像画像の一部を切り出す電子ズーム手段とを有し、前記回動操作部材の回動によって撮影倍率を変化させることを特徴とする請求項１乃至３のいずれかに記載した携帯端末。
【請求項５】
前記撮影光学系は、前記回動操作部材の回動によって光軸方向に移動する変倍光学系を有し、前記回動操作部材の回動によって撮影倍率を変化させることを特徴とする請求項１乃至４のいずれかに記載した携帯端末。
【請求項６】
前記回動検知手段の検知した情報により、前記撮影光学系が撮影した画像の一部を切り出す電子ズームの倍率を制御することを特徴とする請求項４に記載した携帯端末。
【請求項７】
請求項１乃至３のいずれかに記載の前記携帯端末は、撮像と撮像以外の複数の機能を持つと共に前記撮像と撮像以外の機能の切り替え手段を有し、前記回動操作部材の回動検知手段が検出した情報を、前記撮像以外の複数の機能のそれぞれにおける異なった処理のための信号として用いることを特徴とする携帯端末。
【請求項８】
請求項７に記載の携帯端末における撮像以外の機能は、撮像した画像データの再生機能であり、前記回動検知手段からの信号を、出力音量の制御、またはメニューの選択制御に用いることを特徴とする携帯端末。
【請求項９】
前記撮影光学系は、光軸方向に移動する変倍光学系と、該変倍光学系の光軸を軸として変倍光学系を光軸方向に移動させる回動部材と、該回動部材をギアを介して駆動する回動部材駆動源とを有していることを特徴とする請求項１乃至８のいずれかに記載の携帯端末。
【請求項１０】
前記メニューの選択制御は、回動検知手段の検知した情報により、選択項目を移動させておこなうようにしたことを特徴とする請求項８に記載した携帯端末。
【発明の詳細な説明】
【技術分野】
【０００１】
本発明は、撮影光学系により結像された被写体像を電気信号に変換する撮像素子を備えた撮像装置を有し、静止画や動画の撮影機能やこれらの再生機能を有した、例えばデジタルカメラやカメラ付き携帯電話などの携帯端末に関するものである。
【背景技術】
【０００２】
撮影光学系により結像された被写体像を電気信号に変換する撮像素子を備え、画像をデジタル的に撮像する撮像装置は、デジタルカメラやカメラ付き携帯電話、さらに小型携帯情報端末（ＰＤＡ：Ｐｅｒｓｏｎａｌ  Ｄｉｇｉｔａｌ  Ａｓｓｉｓｔａｎｔｓ）やパソコンなど、種々の携帯端末に組み込まれるようになっている。そしてこのような撮像装置を組み込んだ携帯端末は、ズームレンズも光学的なズームだけでなく、撮像画面の切り出す大きさを変化させて電子的に拡大する電子ズーム機能を備えたり、それ以外に例えば静止画や動画の撮影機能やこれらの再生機能、音楽プレイヤー機能、アドレス帳やスケジュール表の閲覧機能など、種々の機能を備えるものが多くなっている。
【０００３】
そして、このような撮像装置を備えたデジタルカメラやカメラ付き携帯電話、さらに小型携帯情報端末やパソコンなどの小型携帯端末は、小型に構成することによって必然的に操作釦類を配置するスペースが少なくなるが、それにもかかわらず、機能自体は増加の傾向にあり、それらの機能を制御するための操作釦類も必然的に増加する傾向にある。
【０００４】
しかしながら、このような小型の携帯端末にあっては、多機能化に伴ってそれぞれの機能の操作釦類が増え、それらを配置するスペースが必要であると共に、各機能に対応した操作釦類を設けるということはそれだけ部品点数が増えて、価格を上昇させてしまう。
【０００５】
こういったことに対処するため、例えば特許文献１には、表示装置に対してレンズを回動可能としたデジタルカメラにおいて、自分撮影のためにレンズを自分の方に向けたとき、自動的に焦点が近距離になるようにして、焦点距離の調節をレンズの回動に連動させたカメラが示されており、このように回動機構に他の機能を連動させることで、操作釦の数を減らすことができる。
【０００６】
【特許文献１】特開２００３−５０１７公報
【発明の開示】
【発明が解決しようとする課題】
【０００７】
しかしながらこの特許文献１に示されたカメラは、単に自分撮影の際の焦点が近距離になるようにしているだけであり、前記したような小型の携帯端末における各種機能のための操作釦の代わりとする、といったことについては何ら示されていない。
【０００８】
そのため本発明においては、撮像装置を備えた携帯端末において、操作釦類を増やすことなく機能の増加を図れ、それによって小型化、安価に携帯端末を提供できるようにすることが課題である。
【課題を解決するための手段】
【０００９】
上記課題を解決するため、本発明における携帯端末は、
被写体像を電気信号に変換する撮像素子と、該撮像素子へ被写体像を結像させる撮影光学系と、該撮影光学系の光軸を軸とした回動操作部材とからなる撮像装置を有し、前記回動操作部材は装置筐体から一部が露出していることを特徴とする。
【００１０】
また本発明は、被写体像を電気信号に変換する撮像素子と、該撮像素子へ被写体像を結像させる撮影光学系と、該撮影光学系の光軸を軸とした回動操作部材と、該回動操作部材の回動を検知する回動検知手段と、該回動検知手段が検出した回動情報により、前記撮像素子を駆動する駆動手段を起動する起動手段とを有することを特徴とする。
【００１１】
更に本発明は、被写体像を電気信号に変換する撮像素子と、該撮像素子へ被写体像を結像させる撮影光学系と、該撮影光学系の光軸を軸とした回動操作部材と、該回動操作部材の回動を検知する回動検知手段と、該回動検知手段が検出した回動情報により、携帯端末の表示装置に表示して選択されたアプリケーションの起動、またはネットワーク接続手段の起動を行うアプリケーション起動手段とを有することを特徴とする。
【００１２】
そして前記撮影光学系は、光学ズーム機構を有すると共に撮像画像の一部を切り出す電子ズーム手段とを有し、前記回動操作部材の回動によって撮影倍率を変化させることを特徴とする。
【００１３】
また本発明になる前記撮影光学系は、前記回動操作部材の回動によって光軸方向に移動する変倍光学系を有し、前記回動操作部材の回動によって撮影倍率を変化させることを特徴とする。
【００１４】
また本発明では、前記回動検知手段の検知した情報により、前記撮影光学系が撮影した画像の一部を切り出す電子ズームの倍率を制御することを特徴とする。
【００１５】
また本発明になる前記携帯端末は、撮像と撮像以外の複数の機能を持つと共に前記撮像と撮像以外の機能の切り替え手段を有し、前記回動操作部材の回動検知手段が検出した情報を、前記撮像以外の複数の機能のそれぞれにおける異なった処理のための信号として用いることを特徴とする。
【００１６】
さらに本発明の携帯端末における撮像以外の機能は、撮像した画像データの再生機能であり、前記回動検知手段からの信号を、出力音量の制御、またはメニューの選択制御である。
【００１７】
そして前記撮影光学系は、光軸方向に移動する変倍光学系と、該変倍光学系の光軸を軸として変倍光学系を光軸方向に移動させる回動部材と、該回動部材をギアを介して駆動する回動部材駆動源とを有していることを特徴とする。
【００１８】
また、前記メニューの選択制御は、回動検知手段の検知した情報により、選択項目を移動させておこなうようにしたことを特徴とする。
【発明の効果】
【００１９】
このように被写体像を電気信号に変換する撮像素子と、該撮像素子へ被写体像を結像させる撮影光学系と、該撮影光学系の光軸を軸とした回動操作部材とからなる撮像装置を有し、前記回動操作部材は装置筐体から一部が露出しているように構成することにより、撮像装置における撮影光学系周囲を有効利用し、しかも、回動操作部材が携帯端末の操作に邪魔にならないよう設けることができ、小型化した携帯端末を提供できる。
【発明を実施するための最良の形態】
【００２０】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２１】
図１は、本発明を携帯端末としての携帯電話に応用した一例の概略外観図、図２は撮影光学系の光軸を軸として本発明になる携帯端末の筐体から一部を露出した回動操作部材を示した図、図３は撮影光学系としてズームレンズを用いた場合の外観図、図４は回動操作部材の回動によるズームレンズの変倍光学系の光軸方向移動を説明するための図で、（Ａ）〜（Ｄ）は変倍光学系の移動状況を示した図、（Ｅ）は回動操作部材に設けた回転位置検出のための機構の説明図、（Ｆ）は変倍用カム溝とそのカム溝による変倍倍率を説明するための図、図５は本発明になる携帯端末における撮像装置と周辺の制御回路ブロック図、図６、図７は回動操作部材からの位置情報を種々の機能の処理信号とする場合の例を示した表、図８は回転位置検出のための回路の一例で、（Ａ）は位置を示す信号が「１」、「０」として出力される場合、（Ｂ）は位置を示す信号が電圧として出力される場合、図９は回動位置を、光電素子により検出する場合の実施例、図１０は変倍光学系の光軸方向移動をモータなどの駆動源で行うようにした実施例である。
【００２２】
図中１は本発明になる携帯端末の一例としての携帯電話、２は携帯端末の筐体で、２１は表示部筐体、２２は操作部筐体、３は撮像装置、４は液晶（ＬＣＤ）などを用いた表示装置、５は数字やアルファベット、その他の機能の指示などに使う操作キー（釦）、３０は撮像装置３の撮影光学系（レンズ）、３１は撮影光学系３０の光軸を軸とし、筐体２から一部が露出した回動操作部材（ダイヤル）、３２、３３は撮影光学系３０を構成する変倍用レンズ(光学系)、３４、３５は回動操作部材３１の内側に設けられたカム溝、３６、３７は変倍用レンズ３２、３３の鏡筒、３８、３９は鏡筒３６、３７に設けられ、回動操作部材３１の内側に設けられたカム溝３４、３５に係合して変倍用レンズ３２、３３を光軸方向に移動させて変倍を行うためのカムピン、４０はシャッター、４１は回動位置検出用パターンＰＯＳ１〜ＰＯＳ１２と撮像素子４２を配した基板、４３は回動操作部材３１に設けられ、回動位置検出用パターンＰＯＳ１〜ＰＯＳ１２を摺擦して回動位置を検出するための接触用ブラシ、４４は変倍用レンズ３２、３３を収納したＯＦＦ位置、４５は変倍用レンズ３２、３３の広角（ＷＩＤＥ）端、４６は同じく変倍用レンズ３２、３３の望遠（ＴＥＬＥ）端、５１は撮像素子４２からの信号を受けて映像信号として送り出す撮像回路、５２は撮像回路５１からの信号を受けてデータ圧縮などをおこなう信号処理回路、５３は信号処理のための一時記憶などを行うためのメモリ、５４は信号処理回路５２によって撮影した画像の一部を取り出す電子ズーム処理を指示する電子ズーム回路、５５は信号処理回路５２が処理した画像データを記憶する外部記憶装置、５６は外部記憶装置５５に記憶した画像を再生して表示装置４（図１）に表示させる画像再生装置、５７は制御用ＣＰＵ、５８は前記図４（Ｅ）に示した回動位置検出用パターンやブラシ、図８に示したような回路などで構成される回動位置検出装置、５９は撮像と撮像以外の複数の機能を切り替えるためのモード切替スイッチ、６０はシャッター釦、９０〜９２は発光素子と受光素子などで構成される光電素子、１００は回動検出用パターンを有した回動操作部材、１０１はモータなどの駆動源１０２からの駆動力をギア１０３を介して伝達され、変倍用レンズ３２、３３を光軸方向に移動させる回動部材、１０４はモータなどの駆動源の駆動制御回路、１０５は回動操作部材１００上に設けられた回動検出用パターンを検出する光電素子１０８からの信号を受けて回動操作部材１００回動を検知する回動検知回路、１０６は制御装置、１０７は回動検知回路１０５からの信号によってモータ駆動制御回路１０４に与える駆動方法を記憶している設定メモリである。
【００２３】
本発明になる携帯端末１は、図１に一例として携帯電話に応用した場合を示したように、その筐体２の一部に撮像装置３が配され、メールやアドレスなどを見るための表示装置４、電話番号や文字を入力するためのキー５などが設けられて、使わないときは表示部筐体２１と操作部筐体２２が閉じられ、使うときに図１に示したように開かれるようになっている。なお、この携帯端末はあくまでも一例であり、表示部筐体２１と操作部筐体２２が開閉できない形式のものや、多数のキーなどが設けられたもの、あるいは前記したようにデジタルカメラや小型携帯情報端末、さらにパソコンなどであっても良いことは自明である。
【００２４】
そしてこのうち撮像装置３は、図２に示したように、撮像装置３の撮影光学系（レンズ）３０の光軸を軸とし、筐体２から一部が露出した回動操作部材（ダイヤル）３１が設けられ、この回動操作部材３１を回すことによって、図３に示したように、レンズ３０が光軸方向に突出し、ズーミングがおこなえるようになっている。
【００２５】
すなわち撮像装置３は、図４（Ａ）に示したように、変倍用レンズ３２、３３を有し、回動操作部材３１の内側には、図４（Ｆ）に３４、３５で示したようなカム溝が設けられている。このカム溝３４、３５は、望遠端４６から４７の間は変倍用レンズ３２、３３を移動させず、ブラシ４３のみを回動させるようになっている。また、変倍用レンズ３２、３３は、それぞれ鏡筒３６、３７に収容され、その鏡筒３６、３７には、前記回動操作部材３１の内側に設けられたカム溝３４、３５に係合して変倍用レンズ３２、３３を光軸方向に移動させ、変倍を行うためのカムピン３８、３９が設けられている。そしてこれら変倍用レンズ３２、３３によって変倍された被写体像は、シャッター４０を通過し、基板４１上に配置されたＣＣＤなどを用いた撮像素子４２で撮像される。
【００２６】
またこの基板４１には、図４（Ｅ）に示したような回動操作部材３１の回動位置を検出するための回動位置検出用パターンＰＯＳ１〜ＰＯＳ１２が設けられ、回動操作部材３１に設けられた接触用ブラシ４３が回動に伴ってこの回動位置検出用パターンＰＯＳ１〜ＰＯＳ１２を摺擦することで、回動操作部材３１の回動位置を検知できるようになっている。なお、この位置検出用パターンＰＯＳ１〜ＰＯＳ１２は、こういったブラシ４３で検出する形式のものでなく、例えば位置検出用パターンを発光素子からの光で照射し、受光素子で回動位置を検出するようにしたり、パターンを透過型とし、発光素子からの光が遮られたか否かを受光素子で検出するようにしたり、図９に示したように、回動操作部材の適宜な位置に回動位置検出パターンを設け、それを検出することで、回動位置を検出するような形式のものでも良いことは勿論である。なお、この図９の（Ａ）は、回動操作部材３１の側面に回動位置検出用パターンを設け、それをフォトセンサ９０で検出するようにした場合、図９（Ｂ）は回動操作部材３１の周囲に回動位置検出用パターンを設け、それをフォトセンサ９１で検出するようにした場合、図９（Ｃ）は回動操作部材３１に孔を開けてフォトセンサ９２を取り付け、回動位置検出用パターンを鏡筒３６に設けてそれぞれ検出するようにした場合である。
【００２７】
さらに前記回動位置検出に替えて、回動操作部材３１の回動量や回動角度をパルス数で検出するようなものでも良い。すなわち、前記回動検出用パターンＰＯＳ１〜ＰＯＳ１２、前記受光素子、若しくは前記発光素子を用いて、前記回動操作部材３１が基準位置からどの程度回動したのか、１周回動したのか、１．５周回動したのかその回動量を検出したり、回動操作部材３１に設けた回動検出用パターンＰＯＳ１〜ＰＯＳ１２を用い、そのパターンを検出した回数である回動パルスを検出したり、回動操作部材３１の任意の位置からの角度で検出するようにしても良い。
【００２８】
そして変倍用レンズ３２、３３は、この図４（Ｅ）にＯＦＦと記された４４の位置のときに図４（Ａ）のように収納された状態であり、ほぼ６０度回動した図４（Ｂ）のＰＯＳ４の４５の位置で広角（ＷＩＤＥ）端、そこからさらに約６０度回動した図４（Ｃ）のＰＯＳ８の４６の位置で望遠（ＴＥＬＥ）端となる。そしてその望遠端４６（ＰＯＳ８）からさらに約６０度回動した４７（ＰＯＳ１２、図４（Ｄ））までは、変倍用レンズ３２、３３の移動は停止されてこの間は光学ズームではなく、それぞれのパターンＰＯＳ９〜ＰＯＳ１１の位置に応じ、撮像画像の所定部分を電子的に拡大する電子ズームの倍率制御のための信号として用いられる。
【００２９】
そしてこの回動位置検出は、例えば図８（Ａ）に示したように、各回動位置検出用パターンＰＯＳ１〜ＰＯＳ１２をプルアップ抵抗Ｒ１〜Ｒ１２を介して図５に示した制御ＣＰＵ５７のＩ／Ｏポートに接続し、選択された回動位置検出用パターンが接地（アース）されることによって制御ＣＰＵ５７のＩ／ＯポートにＬ（０）信号を、他のポートにＨ（１）信号を送るようにしたり、図８（Ｂ）に示したように、各回動位置検出用パターンＰＯＳ１〜ＰＯＳ１２を抵抗Ｒ１〜Ｒ１２を介して接続し、選択された回動位置検出用パターンにより、図５に示した制御ＣＰＵ５７のＩ／Ｏポートに送られる電圧が変化して、それによってブラシ位置を認識できるようにするなどしておこなう。なお、この実施例説明では、パターンを１２としたが、この数は適宜変更できることは自明であり、また、ＯＦＦ位置から広角端まで、広角端から望遠端まで、望遠端から最後の回動位置検出用パターンまでそれぞれ６０度ずつとしたが、これもこの角度に限られないことは自明である。
【００３０】
そして本発明の携帯端末は、撮像装置３による撮像と撮像以外の複数の機能、例えば撮像した画像データやビデオの再生機能、音量の調節、画像の回転機能や送信、そして消去機能などを有し、この回動位置検出用パターンＰＯＳ１〜ＰＯＳ１２からの信号を、以上説明してきた変倍用レンズ３２、３３の移動に伴う回動位置検出と、電子ズームの倍率制御のための信号としてだけでなく、撮像装置３の起動やこれら機能の選択などに用いることができるようにしたものである。
【００３１】
すなわちこの携帯端末には、図６の表に示したように、カメラモード、再生モード、電話モードなどの複数の機能があり、図５におけるモード切替スイッチ５９によって希望のモードを選択すると、回動操作部材３１の回動位置を回動位置検出装置５８によって検出することで、それぞれのモードにおける機能選択が可能なようにしてある。
【００３２】
すなわち今カメラモードの場合、回動操作部材３１の図４（Ｅ）におけるＰＯＳ３まではＯＦＦで何もせず、４５のＰＯＳ４では、現在、変倍用レンズ３２、３３が広角端に、ＰＯＳ５〜ＰＯＳ７までは中間位置に、４６で示したＰＯＳ８では望遠端にあることが制御ＣＰＵ５７に通知され、さらにこの４６で示したＰＯＳ８を超えてＰＯＳ９まで行った場合、制御ＣＰＵ５７は光学ズームが終わって電子ズーム領域に入ったことを検知し、例えばＰＯＳ９では光学ズーム１．２倍となるように制御し、ＰＯＳ１０では１．４倍に、ＰＯＳ１１では１．６倍に、ＰＯＳ１２では１．８倍になるように制御する。そしてこの電子ズームにおける選択した倍率を、例えば図１（Ａ）のように表示装置４に表示する。
【００３３】
また、撮像画像の再生モードでは、例えば図６の表の「再生モード」と記したところに示したように、図４（Ｅ）におけるＰＯＳ１ではＯＦＦで何もせず、ＰＯＳ２〜ＰＯＳ４までは撮影画像の送信を、ＰＯＳ５〜ＰＯＳ７までは撮影画像の回転を、ＰＯＳ８〜ＰＯＳ１０では撮影画像の拡大を、ＰＯＳ１１とＰＯＳ１２では撮影画像の消去をおこなえるようになっている。そしてこの再生モードにおける選択項目も、例えば図１（Ｂ）のように表示装置４に表示し、現在選択されている項目を反転するなどして表示できるようにしてある。これは図６の表の「電話モード」と記されている項目も全く同様であり、この場合は回動操作部材３１の回動によって音量が選択できるようになっている。そしてこの場合、現在選択されている項目より上に表示されている項目を選択する場合は、回動操作部材３１の筐体２から露出した部分を上に回動（図１（Ｂ）の位置に回動操作部材３１が配されている場合は反時計方向に回動）させ、下に表示されている項目を選択する場合には、回動操作部材３１の筐体２から露出した部分を下に回動（図１（Ｂ）の位置に回動操作部材３１が配されている場合は時計方向に回動）させてユーザに扱いやすいように構成しても良い。
【００３４】
また図７の表に示したように、回動操作部材３１の回動でモードや制御を選択できるようにしても良い。すなわち図７に「モード」として示したところに記したように、回動操作部材３１の図４（Ｅ）におけるＰＯＳ３までは再生モードであり、その場合は「制御」の所に記したように画像の再生が行われる。そして、４５のＰＯＳ４からはカメラモードとなり、この位置では現在変倍用レンズ３２、３３が広角端に、ＰＯＳ５〜ＰＯＳ７までは中間位置に、４６で示したＰＯＳ８では望遠端にあることが制御ＣＰＵ５７に通知され、さらにこの４６で示したＰＯＳ８を超えてＰＯＳ９まで行った場合、制御ＣＰＵ５７は光学ズームが終わって電子ズーム領域に入ったことを検知し、例えばＰＯＳ９では光学ズーム１．２倍となるように制御し、ＰＯＳ１０では１．４倍に、ＰＯＳ１１では１．６倍に、ＰＯＳ１２では１．８倍になるように制御する。そしてこの電子ズームにおける選択した倍率は、前記したように図１（Ａ）のように表示装置４に表示する。
【００３５】
このように構成した本発明になる携帯端末の動作を、図５のブロック図に基づいて説明する。通常の撮影動作においては、回動操作部材３１が回動されることで図４（Ｅ）のＯＦＦ位置４４からブラシ４３がＰＯＳ１の位置に来ると、撮像装置３のスイッチが入って起動され、撮影動作の準備が行われる。そして、携帯端末の操作者によってモード切替スイッチ５９がカメラモードにされ、回動操作部材３１が回動されて、図４（Ｂ）のようなＰＯＳ４の広角（ＷＩＤＥ）端４５の位置まで来ると撮影準備が完了し、撮影光学系３０を通過して撮像素子４２に達した光が、撮像回路５１を介して信号処理回路５２に送られて画像再生装置５６によって表示される。
【００３６】
そしてこの状態から、撮影者は回動操作部材３１を回動させて希望するズーム倍率にし、シャッター釦６０を押下する。すると、その信号が制御ＣＰＵに送られて図４に４０で示したシャッターが動作し、撮影光学系３０を通過して撮像素子４２に達した光の信号が、撮像回路５１を介して信号処理回路５２に送られ、データ圧縮されて外部記録装置５５に記録される。
【００３７】
そしてこのとき、回動操作部材３１が図４（Ｅ）に示した望遠側端４６のＰＯＳ８を超えて回動されると、それが回動位置検出装置５８で検出され、信号が制御ＣＰＵ５７に送られる。そのため制御ＣＰＵ５７は、信号処理回路５２を介して電子ズーム回路５４に信号を送り、撮像回路５１に送られてきた撮像画像から、回動位置検出装置５８が検出した回動位置検出用パターンに対応した倍率となるよう一部を取りだし、その画像に対してデータ処理を行って外部記憶装置５５に記憶する。
【００３８】
このような状態から撮影者が、図５のモード切替スイッチ５９を「再生モード」に切り替えると、制御ＣＰＵ５７は信号処理回路５２を介して外部記憶装置５５から記憶されている画像を読み出し、画像再生装置５６で表示装置４に表示させる。そして前記したように、この画像の送信や回転、そして消去などをこの回動操作部材３１を操作することで行ってゆく。そしてそれは前記した「電話モード」の場合も同様である。
【００３９】
このように本発明の携帯端末１は、被写体像を電気信号に変換する撮像素子４２と、撮像素子４２へ被写体像を結像させる撮影光学系３０内の変倍光学系３２、３３の光軸を軸とし、装置筐体２から一部が露出した回動操作部材３１による回動操作によって、変倍光学系３２、３３を光軸方向に移動させて撮影倍率を変更する光学ズーム機構と、回動操作部材３１の回動位置を検知する検知手段５８とを備え、前記回動操作部材３１の回動操作と回動位置検知手段５８が検出した位置情報を、撮像装置３の起動のための信号として使ったり、変倍光学系３２、３３の倍率検出制御、または電子的なズームの倍率制御のための信号として用たりすることにより、特別な機能ボタンを設けることなく起動や電子ズームという機能を実現することができる。
【００４０】
また、４４のＯＦＦ位置からの回動による起動は、前記した撮像装置だけでなく、例えば携帯端末の表示装置４に表示して図示しない他の選択釦で選択したアプリケーションの起動、またはインターネットやネットワーク接続手段の起動などを行うアプリケーション起動手段を設け、アプリケーションやインターネットやネットワークへの接続をおこなえるようにしても良い。
【００４１】
また、本発明の携帯端末は、撮像と撮像以外の複数の機能を、回動操作部材３１の回動操作と回動位置検知手段３８が検出した位置情報により処理できるようにしたから、特別な機能ボタンを設けることなくこれらの機能を実現することができ、それによって小型化でき、しかも安価に携帯端末を提供できるようにすることができる。
【００４２】
さらに、４４のＯＦＦ位置で変倍用レンズ３２、３３や鏡筒３６、３７を筐体２１から突出させないようにしたことで、例えば撮像動作が起動しているかどうかや、音量等の大きさをユーザが確認することができるので、ユーザにとって端末を使いやすいものとすることができる。
【００４３】
また、以上の説明では、回動操作部材３１は手で回動させる場合を例に説明してきたが、図１０に示したように、回動操作部材１００の回動を光電素子１０８、回動検知回路１０５で検知し、モータなどの駆動源１０２をモータ駆動制御回路１０４で制御して回動部材１０１を回動させ、それによって変倍レンズ３２、３３を移動させて変倍するようにしても良い。このようにすると、レンズ３２、３３は回動部材１０１内部となるから、省スペース化が図れる。
【００４４】
この図１０に示した実施例では、予め回動操作部材１００の回動によるズーム量を決めて設定メモリ１０７に記憶しておき、回動操作部材１００を回動させたとき、その回動量を光電素子１０８、回動検知回路１０５で検知し、それによって制御装置１０６が設定メモリ１０７に記憶された設定量に従ってモータ駆動制御回路１０４を制御し、モータ１０２を駆動する。そのため、回動部材１０１が回動し、鏡筒３６、３７が光軸方向に移動し、ズームが行われる。この時設定メモリに設定した値をいろいろ変化させることにより、例えば高速にズーミングを行うようにしたり、低速にズーミングを行うようにするなど、ズーミングスピードを種々変更することが可能となる。
【００４５】
なお、本発明になる携帯端末の機能は、図６、図７に示されたものだけに限定されないことも自明である。また、上記実施の形態例に限定されず、本発明の要旨を逸脱しない範囲であれば種々の改良を行っても良い。例えば、本願の携帯端末を、折り畳み式の携帯電話で、かつ、折り畳んだ状態で表示装置が見える端末にした場合、折り畳んだ状態で回動操作部材３１を回動すると撮影動作を起動してユーザが撮影を行えるようにし、携帯端末を開いた状態では、表示装置に表示されている項目を選択するようにしても良い。
【産業上の利用可能性】
【００４６】
本発明によれば撮像装置を備えた携帯端末において、操作釦類を増やすことなく増加した機能に対応でき、それによって安価に小型化を達成できる携帯端末を提供することができる。
【図面の簡単な説明】
【００４７】
【図１】本発明を携帯端末としての携帯電話に応用した一例の概略外観図である。
【図２】撮影光学系の光軸を軸として本発明になる携帯端末の筐体から一部を露出した回動操作部材を示した図である。
【図３】撮影光学系としてズームレンズを用いた場合の外観図である。
【図４】回動操作部材の回動によるズームレンズの変倍光学系の光軸方向移動を説明するための図で、（Ａ）〜（Ｄ）は変倍光学系の移動状況を示した図、（Ｅ）は回動操作部材に設けた回転位置検出のための機構の説明図、（Ｆ）は変倍用カム溝とそのカム溝による変倍倍率を説明するための図である。
【図５】本発明になる携帯端末における撮像装置と周辺の制御回路ブロック図である。
【図６】回動操作部材からの位置情報を種々の機能の処理信号とする場合の例を示した表である。
【図７】回動操作部材からの位置情報を種々の機能の処理信号とする場合の例を示した表である。
【図８】回転位置検出のための回路の一例で、（Ａ）は位置を示す信号が「１」、「０」として出力される場合、（Ｂ）は位置を示す信号が電圧として出力される場合である。
【図９】回動位置を、光電素子により検出する場合の実施例である。
【図１０】変倍光学系の光軸方向移動をモータなどの駆動源で行うようにした実施例である。
【符号の説明】
【００４８】
３  撮像装置
３０  撮影光学系（レンズ）
３１  回動操作部材（ダイヤル）
３２、３３  変倍用レンズ(光学系)
３４、３５  カム溝
３６、３７  鏡筒
３８、３９  カムピン
４０  シャッター
４１  基板
４２  撮像素子
４３  接触用ブラシ
４４  ＯＦＦ位置
４５  広角（ＷＩＤＥ）端
４６  望遠（ＴＥＬＥ）端
【図１】
2005107291.tif 000003
【図２】
2005107291.tif 000004
【図３】
2005107291.tif 000005
【図４】
2005107291.tif 000006
【図５】
2005107291.tif 000007
【図６】
2005107291.tif 000008
【図７】
2005107291.tif 000009
【図８】
2005107291.tif 000010
【図９】
2005107291.tif 000011
【図１０】
2005107291.tif 000012